(57)【要約】【課題】着座している人がより立ち上がりやすいこたつ用椅子を提供する。【解決手段】こたつ用椅子１は、座部２と、座部２を支持する脚部３と、隣接する２つの脚部３間の少なくとも１つに設けられた、脚部３間を塞ぐシート状体４とを備え、シート状体４は内側に窪むように設けられている。【選択図】図１
2018029780.tif 000002
【特許請求の範囲】
【請求項１】
座部と、
前記座部を支持する複数の脚部と
隣接する２つの前記脚部間の少なくとも１つに設けられた、当該脚部間を塞ぐシート状体と、を備え、
前記シート状体は内側に窪むように設けられていることを特徴とするこたつ用椅子。
【請求項２】
前記シート状体はＶ字状に設けられていることを特徴とする請求項１に記載のこたつ用椅子。
【請求項３】
前記座部は、前記脚部上において回転可能に設けられていることを特徴とする請求項１又は２に記載のこたつ用椅子。
【発明の詳細な説明】
【技術分野】
【０００１】
本発明はこたつ用椅子に関する。
【背景技術】
【０００２】
こたつ用の椅子として、特許文献１〜３に記載されたものが従来技術として知られている。
【先行技術文献】
【特許文献】
【０００３】
【特許文献１】特開２００６−６１２１０号公報（２００６年３月９日公開）
【特許文献２】特開２００９−１１８９０５号公報（２００９年６月４日公開）
【特許文献３】登録実用新案３１６０９７９号公報（２０１０年７月１５日発行）
【発明の概要】
【発明が解決しようとする課題】
【０００４】
特許文献１〜３に記載のこたつ用の椅子は、椅子の脚部間を布や板で閉塞することにより、座部の下側から暖気が外部に逃げないようになっている。しかしながら、脚部間が閉塞している箇所においては、足を自由に動かすことができず、立ち上がりにくいという問題がある。したがって、より立ち上がりやすいこたつ用の椅子が求められている。
【０００５】
本発明は、上記の問題点に鑑みてなされたものであり、その目的は、着座している人が座部の下側で足を自由に動かすことができ、より立ち上がりやすいこたつ用椅子を実現することにある。
【課題を解決するための手段】
【０００６】
上記の課題を解決するために、本発明に係るこたつ用椅子は、座部と、座部を支持する複数の脚部と、隣接する２つの脚部間の少なくとも１つに設けられた、脚部間を塞ぐシート状体とを備え、シート状体は内側に窪むように設けられていることを特徴としている。
【発明の効果】
【０００７】
１実施態様によれば、こたつ用椅子の足元からの暖気の逃げを防止しつつも、着座している人が座部の下側の空間で足を自由に動かすことができるため、立ち上がりやすいという効果を奏する。
【図面の簡単な説明】
【０００８】
【図１】本発明の一実施形態に係るこたつ用椅子の概略を示す正面図である。
【図２】本発明の一実施形態に係るこたつ用椅子の概略を示す側面図である。
【図３】本発明の一実施形態に係るこたつ用椅子の概略を示す斜視図である。
【発明を実施するための形態】
【０００９】
以下、本発明の実施形態について、図１〜３を参照して詳細に説明する。図１は、本発明の一実施形態に係るこたつ用椅子の概略を示す正面図であり、図２は、本発明の一実施形態に係るこたつ用椅子の概略を示す側面図であり、図３は、本発明の一実施形態に係るこたつ用椅子の概略を示す斜視図である。
【００１０】
こたつ用椅子１は、座部２と、座部２を支持する複数の脚部３と、隣接する２つの脚部３間の少なくとも１つに設けられた、脚部３間を塞ぐシート状体４とを備え、シート状体４は内側に窪むように設けられている。また、こたつ用椅子１は、背もたれ部５及び肘掛部６を備えてもよい。
【００１１】
こたつ用椅子１は、テーブルに布団、シート等を掛けて、テーブル下を温めるこたつ用の椅子として好適であるが、布団、シート等を外した通常のテーブル用の通常の椅子としても使用可能である。背もたれ部５は、座部２の後部上から延伸するように設けられており、板状体上にクッションを設けたものや、枠にクッションが嵌め込まれたものであってもよい。肘掛部６は、座部２の左右の側縁部のそれぞれに設けられ、座部２から上方に延伸する部分と、これに接続された座部に概ね平行な部分とから構成され得る。
【００１２】
座部２は、使用者が着座する部分であり、板状体上にクッションを設けたものであってもよい。なお、座部において、着座する人が着座する面を上面、上面と向かい合う下側の面を下面とする。座部２は、脚部３上において回転可能に設けられていてもよい。例えば、座部２は、その中央近傍を軸として、水平方向に回転可能に設けられている。これにより、座部２に着座する人は、こたつ用椅子１の様々な方向から着座する、及び様々な方向に向いて立ち上がることができる。
【００１３】
脚部３は、座部２を支持する。こたつ用椅子１は、脚部３を４つ備えているが、脚部３の数はこれに限定されず、安定性を考慮すると３つ以上備えていることが好ましい。脚部３は、座部２の四隅の下面のそれぞれから下方に延伸している。また、脚部３は、座部２の中央近傍の下面に接続され、そこから座部２の四隅に向かって座部２の下面に沿ってそれぞれ延伸し、さらに座部２の四隅の下面から下方に延伸する構成でもよい。このように、脚部３を、座部２の中央近傍で交差するＸ字状に設けることによって、こたつ用椅子１の安定性が向上する。
【００１４】
また、脚部３は、座部２の中央近傍で交差するＹ字状に設けられた３つの脚部３により構成されてもよいし、座部２の中央近傍から座部２の外縁に向かって放射状に延伸する５つ以上の脚部３により構成されてもよい。脚部３は、座部２の中央近傍の下面から下方に伸びる軸と、脚部３の下端とを接続し、座部２に概ね平行に延伸する桟部を有していてもよい。
【００１５】
シート状体４は、隣接する２つの脚部３間の少なくとも１つに設けられており、脚部３間を閉塞する。そして、シート状体４は内側に窪むように設けられている。したがって、シート状体４が内側に窪むように設けられている箇所をこたつ側に向けてこたつ用椅子１を使用すれば、こたつからの暖気が座部２の下側の空間に入る。これにより、座部２が下側から温められる。また、こたつからの暖気が座部２の下側から外に逃げるのを防ぐことができる。
【００１６】
また、シート状体４は内側に窪むように設けられているので、座部２の下側に、着座している人が足を座部２の内側に向けて自由に動かすことができるスペースが存在する。これにより、こたつ用椅子１は、着座している人の立ち座りを容易にすることができる。
【００１７】
特許文献１〜３のこたつ用の椅子は、暖気の逃げを防ぐ効果は高いが、着座している人が座部の下側に足を入れることができず、足を自由に動かすことができない。したがって、特許文献１〜３のこたつ用の椅子は、着座している人が座部から立ち上がる際に、立ち上がりにくく不便である。これに対して、こたつ用椅子１は、座部２の下側に足を入れるスペースがあるので、様々な方向から容易に立ち上がることができる。
【００１８】
こたつ用椅子１に着座している人の前方には、通常、こたつのテーブルがあるため、着座している人が前向きに立ち上がるとき、こたつ用椅子１を後方に引いてから立ち上がる必要がある。これに対して、着座している人がこたつのテーブルに対して横向きに立ち上がると、着座している人の前方にこたつのテーブルがないので、着座している人は、こたつ用椅子１を引かなくても立ち上がることができる。したがって、着座している人がこたつ用椅子１から前向きだけでなく、横向き等様々な方向からも容易に立ち上がり可能であることは、お年寄りや足の不自由な人が安全かつ容易に立ち上がることができるので好ましい。また、シート状体４が、隣接する２つの脚部３間の少なくとも１つに内側に窪むように設けられることによって、座部２の下側の空間に開放感があり、特に、テーブルをこたつとして使用しない場合にも好適である。なお、こたつのテーブルとは、例えば、ダイニングテーブルにこたつ用のヒーターユニットを設けたダイニングこたつでもよい。
【００１９】
シート状体４は、Ｖ字状に設けられていてもよく、さらに、座部２の中央近傍を頂点とするＶ字状に設けられていることが好ましい。これにより、座部２の中央近傍から外縁に向けて広がるようにシート状体４が設けられるので、座部２の下側に足を入れるスペースを形成しつつ、こたつからの暖気が外に逃げることを効率よく防ぐことができる。
【００２０】
また、特許文献１〜３の閉塞空間は、座部の下側でコの字状のシート状体で囲まれた空間である。これに対して、こたつ用椅子１の閉塞空間は、座部２の下側で中央近傍を頂点とするＶ字状に設けられたシート状体４で囲まれた空間である。したがって、特許文献１〜３の閉塞空間と比較して、こたつ用椅子１の閉塞空間は狭い空間である。これにより、こたつ椅子１は、特許文献１〜３に記載のこたつ用の椅子と比較して、こたつ内の暖気の外部への逃げを効率よく防ぐことができる。
【００２１】
脚部３とシート状体４とを合わせた高さが座部２の床面からの高さの６０％以上であることが好ましく、より好ましくは８０％以上であり、その上限値は高ければ高いほど好ましく、例えば１００％である。これにより、座部２の下側からの暖気の逃げをより好適に防ぐことができる。
【００２２】
シート状体４は、例えば、布帛、合皮、本皮、及び合成樹脂などの屈曲性を有する部材で構成されてもよい。シート状体４は、例えば、木材、プラスチック、アルミニウム、ステンレス、鉄などの剛性、又は準剛性を有する部材で構成されてもよい。また、シート状体４は、上記の屈曲性を有する部材と、剛性又は準剛性を有する部材との組み合わせにより構成されてもよい。
【００２３】
シート状体４は、隣接する脚部３間の少なくとも１つに設けられていればよく、例えば、図１〜３に示すように脚部３から下方に伸びるように設けられていてもよい。また、シート状体４は、例えば、座部２の中央近傍で交差するＸ字状又はＹ字状に設けられていてもよく、座部２の中央近傍から外縁に向かって放射状に延伸するように設けられていてもよい。また、脚部３が座部２の中央近傍から外縁に向かって放射状に延伸するように設けられている場合には、シート状体４を、脚部３のそれぞれに沿って設ければ、脚部３間に内側に窪むように設けることができる。
【００２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００２５】
１  こたつ用椅子
２  座部
３  脚部
４  シート状体
【図１】
2018029780.tif 000003
【図２】
2018029780.tif 000004
【図３】
2018029780.tif 000005